(57)【要約】      （修正有）【課題】情報の提供に関する解析を簡単に行うことができるように、操作ログを記憶し得るようにした電子ＰＯＰ装置を提供する。【解決手段】電子ＰＯＰ装置は、１または複数の情報を表示する表示部２１と、入力操作を行う入力操作インターフェース部としてのタッチパネル５１と、表示部に表示する複数の情報を記憶する情報記憶部５２と、タッチパネルにおける入力操作にしたがって表示部に表示する情報を切り替える制御部５３と、タッチパネルにおける入力操作の内容を操作ログとして記憶するログ記憶部５５と、を有している。制御部は、タッチパネルにおける入力操作を検知すると、操作ログをログ記憶部に記憶させる。【選択図】図３
0003133587.tif 000002
【実用新案登録請求の範囲】
【請求項１】
１または複数の情報を表示する表示部と、
入力操作を行う入力操作インターフェース部と、
前記表示部に表示する複数の情報を記憶する情報記憶部と、
前記入力操作インターフェース部における入力操作にしたがって前記表示部に表示する情報を切り替える制御部と、
前記入力操作インターフェース部における入力操作の内容を操作ログとして記憶するログ記憶部と、を有し、
前記制御部は、前記入力操作インターフェース部における入力操作を検知すると、前記操作ログを前記ログ記憶部に記憶させることを特徴とする電子ＰＯＰ装置。
【請求項２】
日時を計時するタイマをさらに有し、
前記操作ログには、前記入力操作インターフェース部における入力操作の内容に加えて、前記タイマにより計時した日時が含まれている請求項１に記載の電子ＰＯＰ装置。
【請求項３】
前記入力操作インターフェース部は、タッチパネルである請求項１に記載の電子ＰＯＰ装置。
【請求項４】
前記入力操作インターフェース部は、タッチセンサーボタンである請求項１に記載の電子ＰＯＰ装置。
【請求項５】
前記表示部は、液晶表示ディスプレイである請求項１に記載の電子ＰＯＰ装置。
【請求項６】
前記情報記憶部に記憶された音声情報を出力するためのスピーカをさらに有し、
前記制御部は、前記表示部に表示する情報に対応した音声情報を前記スピーカから出力させる請求項１に記載の電子ＰＯＰ装置。
【請求項７】
前記制御部は、前記入力操作インターフェース部における入力操作を検知するまで、前記表示部に表示する情報をランダムまたは定められた順序にしたがって切り替える請求項１に記載の電子ＰＯＰ装置。
【請求項８】
前記制御部は、１または複数の情報を前記表示部に表示するときのレイアウトを変更自在である請求項１に記載の電子ＰＯＰ装置。
【請求項９】
日時を計時するタイマをさらに有し、
前記タイマは、始動時刻を設定自在であり、
前記制御部は、前記タイマが始動時刻を計時すると、前記表示部による情報の表示を開始する請求項１に記載の電子ＰＯＰ装置。
【請求項１０】
日時を計時するタイマをさらに有し、
前記タイマは、停止時刻を設定自在であり、
前記制御部は、前記タイマが停止時刻を計時すると、前記表示部による情報の表示を停止する請求項１に記載の電子ＰＯＰ装置。
【請求項１１】
記録メディアまたはネットワークを介して情報を入力するための情報入力部をさらに有し、
前記制御部は、前記情報入力部を介して入力された情報を、前記情報記憶部に記憶させる請求項１に記載の電子ＰＯＰ装置。
【請求項１２】
記録メディアまたはネットワークを介して前記ログ記憶部に記憶された前記操作ログを出力するためのログ出力部をさらに有し、
前記制御部は、前記ログ記憶部に記憶された前記操作ログを、前記ログ出力部を介して出力させる請求項１に記載の電子ＰＯＰ装置。
【考案の詳細な説明】
【技術分野】
【０００１】
本考案は、電子ＰＯＰ装置に関する。
【背景技術】
【０００２】
近年、情報発信あるいは商品の広告宣伝などのために、種々の情報を動画、静止画、音声などによって提供する電子ＰＯＰ装置が用いられている。
【０００３】
しかしながら、従来の電子ＰＯＰ装置は、顧客に対して情報を繰り返し提供しているだけであり、情報の提供に対する顧客側の反響、例えば、顧客が興味を示した情報はどれかなどを把握することはできない。このため、電子ＰＯＰ装置によって提供している情報の内容が顧客の要求に合致しているか否か、差し替えた方がよい情報はどれかなどを知ることが難しく、情報の提供に関する解析を行う上では十分なものではない。
【考案の開示】
【考案が解決しようとする課題】
【０００４】
そこで、本考案の目的は、情報の提供に関する解析を簡単に行うことができるように、操作ログを記憶し得るようにした電子ＰＯＰ装置を提供することにある。
【課題を解決するための手段】
【０００５】
上記目的を達成するための請求項１に記載の電子ＰＯＰ装置は、１または複数の情報を表示する表示部と、
入力操作を行う入力操作インターフェース部と、
前記表示部に表示する複数の情報を記憶する情報記憶部と、
前記入力操作インターフェース部における入力操作にしたがって前記表示部に表示する情報を切り替える制御部と、
前記入力操作インターフェース部における入力操作の内容を操作ログとして記憶するログ記憶部と、を有し、
前記制御部は、前記入力操作インターフェース部における入力操作を検知すると、前記操作ログを前記ログ記憶部に記憶させることを特徴としている。
【考案の効果】
【０００６】
入力操作インターフェース部における入力操作の内容を操作ログとして記憶するようにしたので、顧客に対して情報を単に繰り返し提供するだけではなく、情報の提供に対する顧客側の反響を簡単に把握することができ、情報の提供に関する解析を簡単に行うことが可能となる。
【考案を実施するための最良の形態】
【０００７】
以下、本考案の実施形態を図面を参照しつつ説明する。
【０００８】
図１は、本考案の実施形態に係る電子ＰＯＰ装置１０の正面側を示す斜視図、図２は、電子ＰＯＰ装置１０の背面側を示す斜視図、図３は、電子ＰＯＰ装置１０の構成を示すブロック図、図４は、階層構造の複数の情報が表示された表示部２１の一例を概念的に示す図、図５は、階層構造の複数の情報の一例を概念的に示す図、図６は、階層構造の複数の情報に対する操作ログの一例を示す図である。
【０００９】
図１および図２を参照して、電子ＰＯＰ装置１０は、機体２０と、可動フレーム３０とを有している。機体２０の正面中央には表示部２１が配置され、表示部２１の両側にスピーカ２２、２３が配置されている。表示部２１は、例えば、液晶表示ディスプレイから構成されている。表示部２１には、入力操作を行う入力操作インターフェース部として機能するタッチパネルが設けられている。ディスプレイのサイズは適宜選択できるが、例えば、約７インチ、約１０．２インチ、あるいは約１７インチである。機体２０の背面には、制御モジュールなどを収容したケース２４が設けられている。
【００１０】
ケース２４の上面には、多種類のメモリカード４１を差し込むためのカード用スロット２５と、多種類のディスクメディア４２を差し込むためのディスク用スロット２６とが設けられている。
【００１１】
カード用スロット２５は、例えば、ＳＤカード（セキュアデジタルメモリーカード）、ＭＭＣカード（マルチメディアカード）、ＭＳカード（メモリスティック（登録商標）カード）、ＭＳＰＲＯカード（メモリースティックプロカード）、ＣＦ（コンパクトフラッシュ（登録商標））タイプＩカード、ＣＦタイプＩＩカード、ハードディスクカード（マイクロ駆動カードなどとも称される）などのメモリカード４１を受け入れる。
【００１２】
ディスク用スロット２６は、例えば、ＣＤ、ＶＣＤ、ＤＶＤディスクなどのディスクメディア４２を受け入れる。
【００１３】
ケース２４の一方の側面には、ＡＶ端子２７ａと、イヤフォン端子２７ｂと、マイクロフォン端子２７ｃとが設けられている。ケース２４の他方の側面には、電源を接続する端子、オンオフするメインスイッチが設けられている。ケース２４の下面には、表示部２１の明るさ、色合いを調整するためのスイッチや、スピーカ２２、２３の音量を調整するためのスイッチなどが設けられている。
【００１４】
メインスイッチをオンすると、機体２０では、各種メモリカード４１やディスクメディア４２に記録された情報の再生を開始させることができる。
【００１５】
この電子ＰＯＰ装置１０には、リモートコントローラ２８も備えられている。リモートコントローラ２８による本機の制御は赤外線制御信号により行われる。このため、機体２０には、赤外線制御信号の受信器としての無線接続端子が備えられている。リモートコントローラ２８からの信号によっても、各種のメモリカード４１やディスクメディア４２などに記録された情報の再生を開始させることができる。
【００１６】
情報の種類や内容は制限されないが、情報発信あるいは商品の広告宣伝などのための情報であって、動画、静止画、音声が含まれる。なお、静止画の一部分に動画を組み込んだ情報もあるが、この種の情報は静止画として扱う。
【００１７】
可動フレーム３０は、機体２０の背面側に横方向に沿って配置されるスタンド３１を有している。スタンド３１の両側のそれぞれは、サイドアーム３２、３３の一端に可動可能に接続されている。サイドアーム３２、３３の他端は、ケース２４の側面に可動可能に接続されている。機体２０とスタンド３１との相対位置を調整することにより、表示部２１を見やすい角度に傾斜させることができる。なお、サイドアーム３２、３３とケース２４との接続部は、微小な凹凸部を形成するなどして、ある程度の摺動抵抗を有するようにしてある。これは、スタンド３１により機体２０を支えた場合にスタンド３１が動いてしまって倒れないようにするためである。
【００１８】
機体２０の背面側には、タイマ駆動用の電池を収納する凹部が設けられている。外蓋２９をねじ留めすることによって、電池が凹部内に保持されている。
【００１９】
図３を参照して、本考案の実施形態に係る電子ＰＯＰ装置１０は、概説すれば、１または複数の情報を表示する表示部２１と、入力操作を行う入力操作インターフェース部として機能するタッチパネル５１と、表示部２１に表示する複数の情報を記憶する情報記憶部５２と、タッチパネル５１における入力操作にしたがって表示部２１に表示する情報を切り替える制御部５３と、タッチパネル５１における入力操作の内容を操作ログとして記憶するログ記憶部５５と、を有している。そして、制御部５３は、タッチパネル５１における入力操作を検知すると、操作ログをログ記憶部５５に記憶させている。
【００２０】
この電子ＰＯＰ装置１０は、日時を計時するタイマ５４をさらに有し、操作ログには、タッチパネル５１における入力操作の内容に加えて、タイマ５４により計時した日時が含まれている。
【００２１】
情報記憶部５２およびログ記憶部５５はＲＡＭから構成されている。制御部５３は、ＣＰＵを主体とし、ＲＡＭ、ＲＯＭなどから構成される記憶部をさらに備えている。
【００２２】
制御部５３は、映像放映モジュールを含み、映像放映モジュールは、メモリカード４１やディスクメディア４２のデータを読み取って再生する。映像放映モジュールは、ＭＰＥＧ１、ＭＰＥＧ２、ＭＰＥＧ４、ＪＰＥＧ、ＭＪＰＥＧなどの様々なファイルフォーマットの映像を再生して放映したり、ＭＰ３などのファイルフォーマットの音響を再生したりするなど、マルチメディアな再生機能を有している。
【００２３】
図４を参照して、図示例の表示部２１は、異なる情報をそれぞれ表示した４つの領域６１、６２、６３、６４と、下方部分に配置され「メインメニューへ」「進む」「戻る」の文字を表示した３つの領域６５、６６、６７とに区画されている。顧客が例えば領域６１を指でタッチすると、制御部５３は、まず、タッチパネル５１上の接触位置を判別し、顧客によって選択された情報に基づいて、次に表示すべき情報を特定する。そして、制御部５３は、表示部２１に現在表示されている情報を、次に表示すべき情報に切り替える。
【００２４】
顧客が「メインメニューへ」を指でタッチすると、制御部５３は、タッチパネル５１上の接触位置を判別し、表示部２１に現在表示されている情報を、メインメニュー用の情報に切り替える。
【００２５】
１つの情報を連続した複数の画像から構成しているような場合において、顧客が「進む」を指でタッチすると、制御部５３は、タッチパネル５１上の接触位置を判別し、表示部２１に現在表示されている画像を、連続した１つ先の画像に切り替える。逆に、顧客が「戻る」を指でタッチすると、制御部５３は、タッチパネル５１上の接触位置を判別し、表示部２１に現在表示されている画像を、連続した１つ前の画像に切り替える。
【００２６】
電子ＰＯＰ装置１０は、情報記憶部５２に記憶された音声情報を出力するためのスピーカ２２、２３を有している。そして、制御部５３は、表示部２１に表示する情報に対応した音声情報をスピーカ２２、２３から出力させている。制御部５３は、表示部２１に表示する動画に対応した音声を出力したり、表示部２１に表示する静止画に対応した音声を出力したりする。音声情報も情報記憶部５２に記憶されている。
【００２７】
図５を参照して、図示例の複数の情報は、４層の階層構造を有している。第１層は１個の情報を含み、第２層は４個の情報を含み、第３層は１６個の情報を含み、第４層も１６個の情報を含んでいる。第２層における４個の情報のそれぞれには、情報が４個ずつ含まれている。第３層の１６個の情報と、第４層の１６個の情報とは、１対１の関係で関連付けられている。
【００２８】
具体例を挙げれば、例えば、第１層の１個の情報は、取り扱っている商品を総合的に紹介するメインメニューの動画である。第２層の４個の情報は、取り扱っている商品を４つの商品カテゴリーに分類したときの、４つの商品カテゴリーを表す静止画である。４つの商品カテゴリーのそれぞれには４つの商品が含まれている。第３層の１６個の情報は、１６個の商品を表す静止画である。第４層の１６個の情報は、１６個の商品のそれぞれを紹介する動画である。
【００２９】
図５においては、第１層の情報つまりメインメニューの動画を「Ａ」と表し、第２層の情報つまり４つの商品カテゴリーを表す静止画を「Ｂ１」「Ｂ２」「Ｂ３」「Ｂ４」と表している。第３層の情報つまり１６個の商品を表す静止画を、第１番目の商品カテゴリーに含まれる商品については「ＡＣ１、ＡＣ２、ＡＣ３、ＡＣ４」と表し、第２番目の商品カテゴリーに含まれる商品については「ＢＣ１、ＢＣ２、ＢＣ３、ＢＣ４」と表し、第３番目の商品カテゴリーに含まれる商品については「ＣＣ１、ＣＣ２、ＣＣ３、ＣＣ４」と表し、第４番目の商品カテゴリーに含まれる商品については「ＤＣ１、ＤＣ２、ＤＣ３、ＤＣ４」と表している。第４層の情報つまり１６個の商品のそれぞれを紹介する動画を、「ＡＤ１、ＡＤ２、ＡＤ３、ＡＤ４」「ＢＤ１、ＢＤ２、ＢＤ３、ＢＤ４」「ＣＤ１、ＣＤ２、ＣＤ３、ＣＤ４」「ＤＤ１、ＤＤ２、ＤＤ３、ＤＤ４」と表している。
【００３０】
メインメニューの動画「Ａ」を表示部２１に出力しているときに、顧客が「進む」を指でタッチすると、動画「Ａ」に代えて、４つの商品カテゴリーを表す静止画「Ｂ１」「Ｂ２」「Ｂ３」「Ｂ４」が表示部２１に出力される。このときに、顧客が例えば静止画「Ｂ１」が表示されている領域を指でタッチすると、４つの商品カテゴリーを表す静止画「Ｂ１」「Ｂ２」「Ｂ３」「Ｂ４」に代えて、第１番目の商品カテゴリーに含まれる４つの商品を表す静止画「ＡＣ１」「ＡＣ２」「ＡＣ３」「ＡＣ４」が表示部２１に出力される。そして、顧客が例えば静止画「ＡＣ１」が表示されている領域を指でタッチすると、商品を紹介する動画「ＡＤ１」が表示部２１に出力される。スピーカ２２、２３からは、表示部２１に表示されている情報に対応した音声情報が出力される。
【００３１】
制御部５３は、タッチパネル５１における入力操作を検知するまで、表示部２１に表示する情報をランダムまたは定められた順序にしたがって切り替える。例えば、第１層のメインメニューの動画の出力を繰り返したり、第４層の１６個の商品のそれぞれを紹介する動画のランダムな出力を繰り返したりする。顧客によってタッチパネル５１における入力操作がなされるまでは、情報提供者が、顧客に興味を与えるであろうと判断した種々の情報を提供することができる。
【００３２】
制御部５３は、１または複数の情報を表示部２１に表示するときのレイアウトを変更自在である。レイアウトを変更することにより、顧客を誘導したい情報に重み付けをすることができ、情報発信あるいは商品の広告宣伝などの効果を高めることが可能となる。レイアウトは、表示する情報の位置、大きさ、背景色などを含み、予めパターン化しておくとよい。制御部５３が複数パターンから所望のパターンを選択することにより、レイアウトを簡単に設定できるからである。
【００３３】
タイマ５４は、始動時刻を設定自在である。そして、制御部５３は、タイマ５４が始動時刻を計時すると、表示部２１による情報の表示を開始し、タッチパネル５１における入力操作を待ち受ける。
【００３４】
タイマ５４はまた、停止時刻をも設定自在である。そして、制御部５３は、タイマ５４が停止時刻を計時すると、表示部２１による情報の表示を停止する。
【００３５】
電源のオン／オフを自動的に行うことができるタイマ５４設定機能を搭載することによって、電子ＰＯＰ装置１０の利用が簡単なものとなる。
【００３６】
電子ＰＯＰ装置１０は、各種メモリカード４１やディスクメディア４２などの記録メディアを介して情報を入力するための情報入力部５６をさらに有している。カード用スロット２５、ディスク用スロット２６などにより情報入力部５６が構成されている。そして、制御部５３は、情報入力部５６を介して入力された情報を、情報記憶部５２に記憶させている。
【００３７】
電子ＰＯＰ装置１０は、記録メディアを介してログ記憶部５５に記憶された操作ログを出力するためのログ出力部５７をさらに有している。カード用スロット２５、ディスク用スロット２６などによりログ出力部５７が構成されている。そして、制御部５３は、ログ記憶部５５に記憶された操作ログを、ログ出力部５７を介して出力させている。記録メディアに出力された操作ログは、他のコンピュータにおいて読み出され、必要な分析が行われる。
【００３８】
図６に、カンマ区切りのＣＳＶ出力した操作ログの一例が示されている。
【００３９】
本実施形態の操作ログは、前述したように、タッチパネル５１における入力操作の内容、およびタイマ５４により計時した日時が含まれている。
【００４０】
図６においては、メインメニューの動画を出力するための入力操作をテキスト「Ａ」によって表し、４つの商品カテゴリーを表示するための入力操作をテキスト「Ｂ」によって表し、第１番目の商品カテゴリーに含まれる商品を表示するための入力操作をテキスト「ＡＣ１」によって表し、第２番目の商品カテゴリーに含まれる商品を表示するための入力操作をテキスト「ＢＣ１」によって表し、第３番目の商品カテゴリーに含まれる商品を表示するための入力操作をテキスト「ＣＣ１」によって表し、第４番目の商品カテゴリーに含まれる商品を表示するための入力操作をテキスト「ＤＣ１」によって表している。また、１６個の商品のそれぞれを紹介する動画を出力するための入力操作をテキスト「ＡＤ１」、ＡＤ２、ＡＤ３、ＡＤ４」「ＢＤ１、ＢＤ２、ＢＤ３、ＢＤ４」「ＣＤ１、ＣＤ２、ＣＤ３、ＣＤ４」「ＤＤ１、ＤＤ２、ＤＤ３、ＤＤ４」によって表している。
【００４１】
タッチパネル５１における入力操作が開始された後、無操作状態が所定時間継続すると、制御部５３は、顧客により切り替えられた情報を、メインメニュー用の情報に自動的に復帰させている。このため、タイマ５４により計時した日時としては、自動でメインメニューに戻った日時を使用することとし、この日時を、タッチパネル５１における入力操作の内容とともに記録するようにしてある。
【００４２】
顧客が「メインメニューへ」を指でタッチして、電子ＰＯＰ装置１０の使用を終了する場合ある。この場合には、タイマ５４により計時した日時としては、「メインメニューへ」を指でタッチした日時を使用し、この日時を、タッチパネル５１における入力操作の内容とともに記録するようにしてある。
【００４３】
なお、日付ごとにファイルを作成するようにしてあるので、図６に示す例では、時間のみを記録している。
【００４４】
図６に示したある日の操作ログでは、第１行目に「Ａ，Ｂ，ＡＣ１，００：０１」と記録されている。これは、「Ａ：メインメニューの動画を出力するための入力操作」→「Ｂ：４つの商品カテゴリーを表示するための入力操作」→「ＡＣ１：第１番目の商品カテゴリーに含まれる商品を表示するための入力操作」が、午前０時０１分に行われたことを表している。
【００４５】
また、第８行目の「Ａ，Ｂ，ＣＣ１，ＣＤ４，ＡＣ１，００：２２」は、「Ａ：メインメニューの動画を出力するための入力操作」→「Ｂ：４つの商品カテゴリーを表示するための入力操作」→「ＣＣ１：第３番目の商品カテゴリーに含まれる商品を表示するための入力操作」→「ＣＤ４：選択した商品を紹介する動画を出力するための入力操作」→「ＡＣ１：第１番目の商品カテゴリーに含まれる商品を表示するための入力操作」が、午前０時２２分に行われたことを表している。
【００４６】
本実施形態の電子ＰＯＰ装置１０は、タッチパネル５１における入力操作の内容、およびタイマ５４により計時した日時を操作ログとして記憶するようにしたので、顧客に対して情報を繰り返し提供するだけではなく、情報の提供に対する顧客側の反響、例えば、顧客が興味を示した情報はどれか、その情報は何時提供されたかなどを簡単に把握することができる。このため、情報の提供に関する解析を簡単に行うことができ、電子ＰＯＰ装置１０によって提供している情報の内容が顧客の要求に合致しているか否か、差し替えた方がよい情報はどれかなどを簡単に知ることができる。
【００４７】
情報の階層構造は図５に示したものに限られず、情報提供者の要求に応じて自由に作成することができる。
【００４８】
また、情報は多階層化された場合に限定されず、シングルレイヤー（単独階層）の情報であっても、操作ログを記録することはできる。なお、単独階層の情報とは、ある情報が他の情報と関連することなく個々独立して存在する情報のほか、図５に示した情報のうち第３層の情報と第４層の情報との間の関係のように、１対１の関係で関連付けられている情報も含まれる。
【００４９】
さらに、上述した実施形態では、操作ログとして、タッチパネル５１における入力操作の内容に加えて、タイマ５４により計時した日時が含まれているが、操作ログは、入力操作インターフェース部（例えば、タッチパネル５１）における入力操作の内容を表している限りにおいて適宜改変することができる。例えば、情報の提供に関する解析内容によっては、日時を記録する必要がない場合もあるであろう。また、表示部２１やスピーカ２２、２３から出力したファイル名、ファイル種類を表す拡張子、出力した回数などを、操作ログとして記憶してもよい。出力したファイル名などによっても、入力操作の内容と同等のことを表すことができるからである。また、出力した回数のみならず、出力するごとに、タイマ５４により計時した日時を追加して記憶することもできる。
【００５０】
図７は、単独階層の複数の情報が表示された表示部の一例を概念的に示す図、図８は、単独階層の複数の情報に対する操作ログの一例を示す図である。この図示例における単独階層の情報は、１対１の関係で関連付けられている情報である。具体例を挙げれば、４個の商品を表す静止画と、４個の商品のそれぞれを紹介する動画とが、１対１の関係で関連付けられているような場合である。
【００５１】
図７を参照して、図示例の表示部２１は、異なる情報をそれぞれ表示した４つの領域７１、７２、７３、７４に区画されている。これら４つの領域７１、７２、７３、７４に、４個の商品を表す静止画が出力されている。顧客が例えば領域７１を指でタッチすると、制御部５３は、まず、タッチパネル５１上の接触位置を判別し、顧客によって選択された情報に基づいて、次に表示すべき情報を特定する。そして、制御部５３は、表示部２１に現在表示されている情報を、次に表示すべき情報に切り替える。具体的には、領域７１に表示されている商品を紹介する動画が表示部２１に出力される。スピーカ２２、２３からは、表示部２１に表示されている情報に対応した音声情報が出力される。
【００５２】
図８に示す操作ログにあっては、顧客によって選択されて表示部２１やスピーカ２２、２３から出力したファイル名、ファイル種類を表す拡張子、出力した回数を記憶している。例えば、第１行目は、名前＋拡張子で表されるファイル名＝”１．ｍｐｅｇ”が、５回出力されたことを示している。このように出力したファイル名などによっても、入力操作の内容と同等のことを表すことができる。なお、出力するごとに、タイマ５４により計時した日時を追加して記憶してもよい。
【００５３】
入力操作インターフェース部として、タッチパネル５１を例に挙げたが、本考案はこの場合に限定されるものではなく、入力操作インターフェース部として公知の手段を用いることができる。
【００５４】
図９は、入力操作インターフェース部をタッチセンサーボタン８１〜８９から構成した電子ＰＯＰ装置１０を示す図である。
【００５５】
図９に示す電子ＰＯＰ装置１０は、タッチパネル５１に代えて、機体２０にタッチセンサーボタン８１〜８９を組み込んである。タッチセンサーボタン８１〜８８は表示部２１の左右両側に４個ずつ配置され、タッチセンサーボタン８９は表示部２１の下側に配置されている。情報は、多階層化された情報、あるいは単独階層の情報のいずれであってもよい。タッチセンサーボタン８１〜８８は、情報を選択する際にタッチするボタンであり、タッチセンサーボタン８９は、情報、例えば動画を再生したり、停止したりする際にタッチするボタンである。これらタッチセンサーボタン８１〜８９における入力操作の内容を操作ログとして記憶している。タイマ５４により計時した日時を追加して記憶してもよい。
【００５６】
入力操作インターフェース部としてタッチセンサーボタン８１〜８９を用いた場合においても、タッチパネル５１のときと同様に、顧客に対して情報を繰り返し提供するだけではなく、情報の提供に対する顧客側の反響、例えば、顧客が興味を示した情報はどれか、その情報は何時提供されたかなどを簡単に把握することができる。このため、情報の提供に関する解析を簡単に行うことができ、電子ＰＯＰ装置１０によって提供している情報の内容が顧客の要求に合致しているか否か、差し替えた方がよい情報はどれかなどを簡単に知ることができる。
【００５７】
上述した実施形態に係る電子ＰＯＰ装置１０にあっては、情報記憶部５２およびログ記憶部５５をＲＡＭから構成したが、各スロット２５、２６に挿入する記録メディアを、情報記憶部５２やログ記憶部５５として直接用いることもでき、この場合には、情報記憶部５２およびログ記憶部５５を構成するＲＡＭは必要とならない。
【００５８】
また、記録メディアを介して情報を入力するための情報入力部５６を有しているが、ネットワークを介して情報を入力する情報入力部５６としてもよい。この場合には、リモート操作によって、電子ＰＯＰ装置１０によって出力する情報の変更、更新、追加、削除などを簡単に行うことができ、情報の自動配信が可能となる。
【００５９】
また、記録メディアを介して操作ログを出力するためのログ出力部５７を有しているが、ネットワークを介して操作ログを出力するログ出力部５７としてもよい。この場合には、リモート操作によって、電子ＰＯＰ装置１０から操作ログをネットワーク上のサーバ機器などに出力させ、サーバ機器の側において操作ログに基づいて必要な分析を行うことができる。
【００６０】
電子ＰＯＰ装置１０の活用例として、商品広告のために使用する他に、例えば、イベントや館内の案内を説明するために使用したり、待合席などに動画を流して待ち時間の間に情報発信するために使用したり、美術館、水族館、各種パビリオンでの解説のために使用したりすることができる。また、様々な展示物案内や、教育用ツールとしての利用も可能である。
【００６１】
以上説明したように、本考案によれば、情報の提供に関する解析を簡単に行うことができるように、操作ログを記憶し得るようにした電子ＰＯＰ装置１０を提供できる。
【図面の簡単な説明】
【００６２】
【図１】本考案の実施形態に係る電子ＰＯＰ装置の正面側を示す斜視図である。
【図２】電子ＰＯＰ装置の背面側を示す斜視図である。
【図３】電子ＰＯＰ装置の構成を示すブロック図である。
【図４】階層構造の複数の情報が表示された表示部の一例を概念的に示す図である。
【図５】階層構造の複数の情報の一例を概念的に示す図である。
【図６】階層構造の複数の情報に対する操作ログの一例を示す図である。
【図７】単独階層の複数の情報が表示された表示部の一例を概念的に示す図である。
【図８】単独階層の複数の情報に対する操作ログの一例を示す図である。
【図９】入力操作インターフェース部をタッチセンサーボタンから構成した電子ＰＯＰ装置を示す図である。
【符号の説明】
【００６３】
１０    電子ＰＯＰ装置、
２０    機体、
２１    表示部、
２２、２３    スピーカ、
２５    カード用スロット、
２６    ディスク用スロット、
３０    可動フレーム、
４１    メモリカード、
４２    ディスクメディア、
５１    タッチパネル（入力操作インターフェース部）、
５２    情報記憶部、
５３    制御部、
５４    タイマ、
５５    ログ記憶部、
５６    情報入力部、
５７    ログ出力部、
８１〜８９    タッチセンサーボタン（入力操作インターフェース部）。
【図１】
0003133587.tif 000003
【図２】
0003133587.tif 000004
【図３】
0003133587.tif 000005
【図４】
0003133587.tif 000006
【図５】
0003133587.tif 000007
【図６】
0003133587.tif 000008
【図７】
0003133587.tif 000009
【図８】
0003133587.tif 000010
【図９】
0003133587.tif 000011